(57)【要約】支柱の途中部分に手摺を掛け渡すようにして支柱と支柱の間に取り付けるような場合にも手摺の取り付け角度が自由に調整可能であり、また、手摺が同一直線上に又は取付位置の段差を生じさせずに連続して設置することが可能な手摺取付具及び手摺取付方法を提供する。手摺取付具は、互いに対向した状態で合体させることにより支柱５をしっかりと挟持する挟持部２９を形成する挟持片２１、２１’を備えた半割状の挟持体２０、２０’が、手摺保持部１１を有する手摺保持体１０に可動可能に取着されて形成されており、また、手摺取付方法は、挟持体は手摺保持部を有する手摺保持体に挟持片の中心から偏心した位置で可動可能に取着され、そのような支柱５に挟持された手摺取付具１の手摺保持体１０を可動させて手摺７の取り付け方向を調整する工程と、その手摺の取り付け方向の延長線上に第二の手摺取付具２の手摺保持体１０に取着された手摺７が位置するように取着する工程とを含み構成される。
2003035996.tif 000002
【特許請求の範囲】
【請求項１】
互いに対向した状態で合体させることにより支柱をしっかりと挟持する挟持部を形成する挟持片を備えた半割状の挟持体が、手摺保持部を有する手摺保持体に可動可能に取着されて形成され、それによって設置すべき手摺の接続角度が調整可能とされていることを特徴とする手摺取付具。
【請求項２】
互いに対向した状態で合体させることにより支柱をしっかりと挟持する挟持部を形成する挟持片を備えた半割状の挟持体が、手摺保持部を有する手摺保持体に、前記挟持片の中心から偏心した位置で可動可能に取着されていることを特徴とする手摺取付具。
【請求項３】
互いに対向した状態で合体させることにより支柱をしっかりと挟持する挟持部を形成する挟持片を備えた半割状の挟持体が、手摺保持部を有する手摺保持体に、前記挟持片の一方側の開口頂面と同じ高さ位置で可動可能に取着されていることを特徴とする手摺取付具。
【請求項４】
請求の範囲第１項〜第３項のいずれか１項に記載の手摺取付具において、
前記挟持体は、前記手摺保持体に対して左右のいずれの方向からも取着可能に形成されていることを特徴とする手摺取付具。
【請求項５】
請求の範囲第１項〜第４項のいずれか１項に記載の手摺取付具において、
前記挟持片の先端側の端面部には蟻形状の凹凸が形成され、合体時に互いに嵌合するようにして前記挟持部が形成されることを特徴とする手摺取付具。
【請求項６】
互いに対向した状態で合体させることにより支柱をしっかりと挟持する挟持部を形成する挟持片を備えた半割状の挟持体が、手摺保持部を有する手摺保持体に、前記挟持片の中心から偏心した位置で可動可能に取着されて形成された第一の手摺取付具及び第二の手摺取付具のうち、前記第一の手摺取付具を前記支柱の所定位置に取着すると共に、前記手摺保持体を可動させて該手摺保持体に取着された手摺の取り付け方向を調整する工程と、
前記第一の手摺取付具の手摺保持体に取着された手摺の取り付け方向の延長線上に前記第二の手摺取付具の手摺保持体に取着された手摺が位置するように前記第二の手摺取付具の前記手摺保持体を可動させて取着する工程と、
を含み構成される手摺取付方法。
【請求項７】
請求の範囲第６項に記載の手摺取付方法において、
前記第一の手摺取付具及び第二の手摺取付具の前記挟持体が、前記手摺保持体に、前記挟持片の一方側の開口頂面と同じ高さ位置で可動可能に取着されていることを特徴とする手摺取付方法。
【発明の詳細な説明】
技術分野
本発明は、手摺を支柱に取り付けるような場合に使用する手摺取付具に関し、さらに詳しくは、支柱の途中部分に手摺を掛け渡すようにして支柱と支柱の間に取り付るような場合に使用される手摺取付具に関する。
技術背景
従来、地面に立設された支柱と支柱の間にその高さの途中位置に手摺を掛け渡すようにして取り付ける場合に使用される手摺取付具の一つとして、例えば、特開２０００−４６０１９に示されているような割り型継手がある。この割り型継手１００は、第８図に示すように、地面に立設される金属パイプや木の棒等の管材からなる縦材１０１（支柱）を挟持するＴ字頭部に相当する貫通型ソケット部１０２と、縦材１０１に横設される金属パイプや木の棒等の管材からなる横材１０１’（手摺）を挟持する貫通型ソケット部１０２と直交して位置するＴ字脚部相当する非貫通型ソケット部１０３とを備えた継手を、ソケット部の軸線に沿って２つに分割した各半割り状部材１０４、１０４’から構成されており、各半割り部材１０４、１０４’はソケット部１０２、１０３の間に縦材１０１及び横材１０１’を挟んだ状態で相互に合体させ、各半割り状部材１０４、１０４’の相互間に分割面と直交する方向から貫通させたボルト１０５をナット１０６へ締結することにより各半割り状部材１０４、１０４’を継手として組み立てると同時に、縦材１０１及び横材１０１’を合一に連結するように構成されている。
しかし、かかる従来の割り型継手にあっては、プレス成形加工によりソケット部１０２とソケット部１０３とが直交するＴ字形に形成されているので、縦材に相当する支柱に対して横材に相当する手摺を所定の傾斜角を有して設置する場合には使用できないという問題があった。この場合、ソケット部１０２とソケット部１０３とを予め設置すべき傾斜角度に傾斜させた状態で成形加工することが考えられるが、手摺の傾斜角度は設置すべき場所により一定ではないので予め準備することは困難である。一方、予め測量を行うことにより設置場所の形状に合わせた所定の傾斜角を備えた割り型継手を準備することが考えられるが割り型継手の準備作業が極めて煩雑であり、コスト的にも高くなるの欠点がある。
また、第９図に示すように、かかる従来の割り型継手１００を用いて縦材１０１である支柱の両方向にその高さの途中位置に手摺を設置する場合には、手摺である横材１０１’と横材１０１’’とが同一線上に位置せず、手摺である横材１０１’と横材１０１’’がソケット部１０２の幅だけ段差を有して掛け渡されることとなり見た目にも好ましくない。
本発明は上記の問題点に鑑みてなされたもので、支柱の途中部分に手摺を掛け渡すようにして支柱と支柱の間に取り付けるような場合に手摺の取り付け角度が自由に調整可能な手摺取付具及び手摺取付方法を提供することを目的とする。
また、本発明は、支柱の途中部分に手摺を掛け渡すようにして支柱と支柱の間に取り付けるような場合に手摺が同一直線上に又は取付位置の段差を生じさせずに連続して設置することが可能な手摺取付具及び手摺取付方法を提供することを目的とする。
発明の開示
上記課題を解決するために請求の範囲第１項に記載の発明は、互いに対向した状態で合体させることにより支柱をしっかりと挟持する挟持部を形成する挟持片を備えた半割状の挟持体が、手摺保持部を有する手摺保持体に可動可能に取着されて形成され、それによって設置すべき手摺の接続角度が調整可能とされていることを特徴とする手摺取付具を提供する。
上記課題を解決するために請求の範囲第２項に記載の発明は、互いに対向した状態で合体させることにより支柱をしっかりと挟持する挟持部を形成する挟持片を備えた半割状の挟持体が、手摺保持部を有する手摺保持体に、挟持片の中心から偏心した位置で可動可能に取着されていることを特徴とする手摺取付具を提供する。
上記課題を解決するために請求の範囲第３項に記載の発明は、互いに対向した状態で合体させることにより支柱をしっかりと挟持する挟持部を形成する挟持片を備えた半割状の挟持体が、手摺保持部を有する手摺保持体に、挟持片の一方側の開口頂面と同じ高さ位置で可動可能に取着されていることを特徴とする。
上記課題を解決するために請求の範囲第４項に記載の発明は、請求の範囲第１項〜第３項のいずれか１項に記載の手摺取付具において、挟持体は、手摺保持体に対して左右のいずれの方向からも取着可能に形成されていることを特徴とする。
上記課題を解決するために請求の範囲第５項に記載の発明は、請求範囲第１項〜第４項のいずれか１項に記載の手摺取付具において、挟持片の先端側の端面部には蟻形状の凹凸が形成され、合体時に互いに嵌合するようにして前記挟持部が形成されることを特徴とする。
上記課題を解決するために請求の範囲第６項に記載の発明は、互いに対向した状態で合体させることにより支柱をしっかりと挟持する挟持部を形成する挟持片を備えた半割状の挟持体が、手摺保持部を有する手摺保持体に、挟持片の中心から偏心した位置で可動可能に取着されて形成された第一の手摺取付具及び第二の手摺取付具のうち、第一の手摺取付具を支柱の所定位置に取着すると共に、手摺保持体を可動させて該手摺保持体に取着された手摺の取り付け方向を調整する工程と、第一の手摺取付具の手摺保持体に取着された手摺の取り付け方向の延長線上に第二の手摺取付具の手摺保持体に取着された手摺が位置するように第二の手摺取付具の手摺保持体を可動させて取着する工程とを含み構成される手摺取付方法を提供する。
上記課題を解決するために請求の範囲第７項に記載の発明は、請求の範囲第６項に記載の手摺取付方法において、第一の手摺取付具及び第二の手摺取付具の挟持体が、手摺保持体に、挟持片の一方側の開口頂面と同じ高さ位置で可動可能に取着されていることを特徴とする。
発明を実施するための最良の形態
以下、本発明に係る手摺取付具及び手摺取付方法の一実施形態について図面を参照しつつ、初めに本発明に係る手摺取付具の一実施形態について説明したのち、その動作と合わせて本発明に係る手摺取方法の一実施形態について説明する。ここで、第１図は本発明に係る手摺取付具の一実施形態の斜視図、第２図（ａ）はその平面図、第２図（ｂ）はその側面図である。まず、第１図及び第２図に示された手摺取付具１は、概略として、設置すべき手摺７を保持する手摺保持部１１を有する手摺保持体１０と、支柱５を挟持してしっかりと固定される半割状の２つの挟持体２０、２０’とを備えて構成されている。
手摺保持体１０は、ステンレスや合金等の金属製材料により形成され、第３図（ａ）（ｂ）に示すように、略円筒状に形成された手摺保持部１１と、後述する挟持体２０、２０’を取り付けるための取付部１３を有している。手摺保持部１１は、その内部に手摺７の端部側を受け入れる空間部を備えて形成され、その側面には挿入された手摺７をしっかりと固定するための図示しないビスを挿通するビス孔１９が穿設されている。尚、手摺７を保持するための手摺保持部１１の構造はこれに限るものではなく、例えば、手摺保持部１１の内壁面にネジ溝を形成し、手摺７の端部をこれに螺合させることにより固定する構造でもよく、溶接により接合する構造であってもよく、各種の構造を採用することが可能である。また、手摺７の端部側に手摺保持体１１を直接形成することもできる。さらに、手摺７は、通常金属パイプや木の棒等の管材が使用されるがもちろんこれに限るものではない。手摺７の断面形状も円形状でなく楕円形や矩形であっても構わないがこの場合には手摺保持部１１の形状もそのような手摺７合わせた形状とすることが必要である。
手摺保持体１１とは反対側の手摺保持体１０には、後述する半割状の挟持体２０、２０’を取り付けるための略円盤状の取付部１３が突出するようにして形成されている。取付部１３は、第３図（ｂ）に最もよく示されているように、その側面形状が略円形とされ、その両側面には挟持体２０、２０’に形成された円形状の凸部２５、２５’と嵌り合う大きさの円形状の溝１５、１５’が形成されている。そして、取付部１３の中心には取付部１３を挟むようにしてその両側に配置される挟持体２０、２０’を可動可能に取着するためのボルト３１が挿通される挿通孔１７が穿設されている。この構成により、取付部１３を挟んで配置された挟持体２０、２０’をボルト３１とナット３１ａにより取着すると手摺保持体１０に取り付けられた挟持体２０、２０’はその凸部２５が取付部１３に形成された溝１５内を沿うようにして案内されつつボルト３１を中心とする回転運動を行うように可動可能とされる。
挟持体２０、２０’は、第４図及び第５図に示されているように、それぞれ互いに対向した状態で合体させることにより支柱５をしっかりと挟持する挟持部２９を形成する断面が略半円状の挟持片２１、２１’と、手摺保持体１０の取付部１３に取着される側面形状が略円形状をした支持部２３、２３’とを有して形成されている。
挟持片２１、２１’の先端側の端面部には、それぞれ先端部が拡開するようにして突設された蟻形凸部２７、２７’とその蟻形凸部２７、２７’に嵌り合う形状をした蟻形凹部２８、２８’がいわゆる蟻形状に形成され、挟持体２０、２０’をそれぞれ対向させて合体させたときに互いにしっかりと嵌り合って挟持部２９が形成されるようになっている。これにより、手摺７に大きな荷重がかかった場合に挟持片２１、２１’の嵌合部分が外れるの防止する。この形状も図示されたものに限られるものではなく、手摺７に大きな荷重がかかった場合に挟持片２１、２１’の嵌合部分がお互いに離脱しないよう阻止する形状を有していればよい。
本実施形態における挟持片２１、２１’の形状は円柱状の支柱５に挟持して固定するために断面が略半円状とされているが、支柱５の断面形状が円形状でなく楕円形や矩形状をなすものである場合にはその断面形状に合わせた形状とすればよい。このように、支柱５を挟持する挟持部２９を半割状の挟持体２０、２０’を合体させることにより形成させる構造なので支柱５の途中位置に直接取り付けることが可能となる。従って、すでに設置された手摺であっても後から手摺を付加することができるというメリットがある。
支持部２３、２３’は、手摺保持体１０の取付部１３とほぼ同じ大きさの直径を有して形成された略円盤形状を有し、取付部１３と密接される側の表面には溝１５に嵌り合う形をした円状の凸部２５、２５’が形成されている。また、支持部２３、２３’の中心にはボルト３１を挿通するための挿通孔２６、２６’が穿設されている。そして、取付部１３を支持部２３、２３’で挟むように配置して挟持体２０、２０’をボルト３１とナット３１ａにより取着すると手摺保持体１０に取り付けられた挟持体２０、２０’はその凸部２５が取付部１３に形成された溝１５内を沿うようにして案内されつつボルト３１を中心とする回転運動を行うように可動可能とされる。また、挟持体２０、２０’は、手摺保持体１０に対して左右のいずれの方向からも取着可能に形成されている。これにより、手摺７を支柱５に対して上下方向における所定の取付角度を有して取り付けることが可能となる。
ところで、支持部２３、２３’に設けられる挿通孔２６、２６’、すなわち、回転運動の中心は、挟持片２１、２１’の幅方向における中心から偏心した位置に設けられており、図示された実施形態においては、挿通孔２６、２６’は、それぞれ挟持片２１、２１’の一方側の開口頂面Ｓ、Ｓ’と同じ高さ位置に設けられている。すなわち、手摺保持部１１に保持された手摺７の縦断面の中心位置と開口頂面Ｓ、Ｓ’とがほぼ同じ高さ位置になるような位置に形成されている。かかる構成を備えた第一の手摺取付具１と第６図（ａ）に示すような第二の手摺取付具２（但し、第一の手摺取付具１と第二の手摺取付具２とでは手摺保持体１０への挟持片２１、２１’の取付方向が左右逆とされている）を、同一の支柱５の途中位置にそれぞれ開口頂面Ｓ１、Ｓ２を突き合わせるようにして密接させて取り付けると、第一の手摺取付具１及び第二の手摺取付具２の手摺保持部１１、１１のそれぞれに取着され支柱５に直交する手摺７、７’は同一直線上に配置することが可能となる。
また、第６図（ｂ）に示すように、手摺７を所定の取付角度を有して支柱５に取着する場合には、支柱５の途中位置に取り付けられた第一の手摺取付具１の手摺保持部１１に取着された手摺７の取り付け方向の延長線上に第二の手摺取付具２の手摺保持部１１に取着された手摺７’が位置するように開口頂面Ｓ１とＳ２の間を所定の距離だけ離して第一の手摺取付具１を支柱５に取着する。これにより手摺７、７’を同一直線上に配置することができ、見た目にもとても美しく手摺を設置することができる。また、カーブする傾斜面や階段の折り返し部等に設置する場合のように手摺７と手摺７’の取付角度が同じであるがその取付方向が異なるような場合であっても段差を生じさせること無く手摺７、７’を取り付けることができる。
一方、支柱５に対する手摺７、７’の取付角度が大きい場合には、第６図（ｃ）に示すように、第一の手摺取付具１と第二の手摺取付具２の開口頂面Ｓ１とＳ２とは反対側の面を対向するように支柱５に取着する。第一の手摺取付具１と第二の手摺取付具２の挟持体２０、２０’の回転中心となる挿通孔２６、２６’は、それぞれ挟持片２１、２１’の一方側の開口頂面Ｓ、Ｓ’と同じ高さ位置に設けられているので手摺保持体１０、１０はそれぞれ開口頂面Ｓ１、Ｓ２側に大きく屈曲する。これにより、第６図（ａ）（ｂ）の場合と比べて手摺７、７’をより大きな角度を有して設置することが可能となる。
次に、本発明に係る手摺取方法の一実施形態について第７図を参照しつつ上述した実施形態における摺取付具の動作の説明と共に説明する。ここで、第７図に示すのは階段３に設置された手摺の斜視図である。まず、階段３には予め所定箇所に立設された支持柱５ａ、５ｂ、５ｃ、５ｄ、５ｅの頂部に手摺連結具４、４が取着され、各手摺連結具４、４により各支持柱５ａ〜５ｅの頂部を繋ぐようにして手摺８、８が設置されている。
支柱５ａの途中位置に手摺取付具２ａを挟持体２０、２０’で支柱５ａを挟持するようにして取り付け、手摺取付具２ａの手摺保持体１０を可動させて設置すべき手摺７ａの取り付け方向を設置面と平行となるように調整し、手摺７ａを取り付ける（ステップＳ１）。この支持柱５ａに、第６図（ａ）に示すような状態で、手摺取付具２ａをその開口頂面と手摺取付具１ａの開口頂面とを対向させるようにして手摺取付具２ａの挟持体２０、２０’により挟持する。次に、手摺取付具２ａの手摺保持体１０に取着された手摺７ａの取り付け方向の延長線上に手摺取付具１ａの手摺保持体１０に取着された手摺７ｂが位置するように手摺取付具１ａの手摺保持体１０を可動させて取着する（ステップＳ２）。そして、手摺７ｂの端部に取着された手摺取付具２ｂを支柱５ｂの途中位置に手摺取付具２ｂの挟持体２０、２０’で支柱５ｂを挟持するようにして取り付けると共に、手摺取付具２ｂの手摺保持体１０を可動させて手摺７ｂが手摺７ａと同一直線上に位置するように調整し、手摺７ａを取り付ける。
同様にして、支持柱５ｂに手摺取付具１ｂを第６図（ｂ）に示すような状態で、その開口頂面と手摺取付具２ｂの開口頂面とを対向させるようにして手摺取付具１ｂの挟持体２０、２０’により挟持する。そして、手摺取付具１ｂの手摺保持体１０に取着された手摺７ｃの取り付け方向を階段３の傾斜角度に合わせて手摺取付具１ｂの手摺保持体１０を可動させて取着する。そして、手摺７ｃの端部に取着された手摺取付具２ｃを支柱５ｃの途中位置に手摺取付具２ｃの挟持体２０、２０’で支柱５ｃを挟持するようにして取り付けると共に、手摺取付具２ｃの手摺保持体１０を可動させて手摺７ｃが階段３の傾斜に合わせた傾斜角度を有するように取り付ける。
次に、支持柱５ｃに手摺取付具１ｃを第６図（ｃ）に示すような状態で、その開口頂面と手摺取付具２ｃの開口頂面とを対向するようにして手摺取付具１ｃの挟持体２０、２０’により挟持する。そして、手摺取付具１ｃの手摺保持体１０に取着された手摺７ｄの取り付け方向を手摺７ｃの取り付け方向の延長線上に手摺取付具１ｃの手摺保持体１０に取着された手摺７ｄが位置するように手摺取付具１ｃの手摺保持体１０を可動させて取着する。そして、手摺７ｄの端部に取着された手摺取付具２ｄを支柱５ｄの途中位置に手摺取付具２ｄの挟持体２０、２０’で支柱５ｄを挟持するようにして取り付けると共に、手摺取付具２ｄの手摺保持体１０を可動させて手摺７ｄが設置面と平行になるように調整し、手摺７ｅを取り付ける。
産業上の利用可能性
以上のように、本発明に係る手摺取付具によれば、互いに対向した状態で合体させることにより支柱をしっかりと挟持する挟持部を形成する挟持片を備えた半割状の挟持体が、手摺保持部を有する手摺保持体に可動可能に取着されて形成され、それによって設置すべき手摺の接続角度が調整可能とされているので、支柱の途中部分に手摺を掛け渡すようにして支柱と支柱の間に取り付けるような場合に手摺の取り付け角度が自由に調整することができるという効果がある。
また、本発明に係る手摺取付具によれば、さらに、半割状の挟持体が、手摺保持部を有する手摺保持体に、挟持片の中心から偏心した位置で可動可能に取着されているので、支柱の途中部分に手摺を掛け渡すようにして支柱と支柱の間に取り付けるような場合に手摺が同一直線上に又は取付位置の段差を生じさせずに連続して設置することができという効果がある。
さらに、本発明に係る手摺取付方法によれば、支柱の途中部分に手摺を掛け渡すようにして支柱と支柱の間に取り付けるような場合に手摺が同一直線上に又は取付位置の段差を生じさせずに連続して設置することができという効果がある。
【図面の簡単な説明】
第１図は、本発明に係る手摺取付具の一実施形態の斜視図である。
第２図（ａ）は第１図に示した手摺取付具の平面図、（ｂ）はその側面図である。
第３図（ａ）は手摺保持体の平面図、（ｂ）はその側面図である。
第４図は、挟持体の平面図である。
第５図は、挟持体の正面図である。
第６図（ａ）〜（ｃ）は、手摺取付具の取り付け状態を示す側面図である。
第７図は、第１図に示す手摺取付具の使用状態を示す斜視図である。
第８図は、従来の割り型継手の分解斜視図である。
第９図は、従来の割り型継手の取り付け状態を示す側面図である。
【図１】
2003035996.tif 000003
【図２】
2003035996.tif 000004
【図３】
2003035996.tif 000005
【図４】
2003035996.tif 000006
【図５】
2003035996.tif 000007
【図６】
2003035996.tif 000008
【図７】
2003035996.tif 000009
【図８】
2003035996.tif 000010
【図９】
2003035996.tif 000011
【手続補正書】
【提出日】平成14年11月18日(2002.11.18)
【手続補正１】
【補正対象書類名】明細書
【補正対象項目名】特許請求の範囲
【補正方法】変更
【補正の内容】
【特許請求の範囲】
【請求項１】
互いに対向した状態で合体させることにより支柱をしっかりと挟持する挟持部を形成する挟持片を備えた半割状の挟持体が、手摺保持部を有する手摺保持体に形成された側面形状が略円盤状の取付部をその両側から挟むようにして、前記挟持体に形成された円形状の凸部が前記取付部の略円盤状の側面に形成された円形状の溝内を案内されつつ回転運動するように回転中心をボルトにより取着され、それによって設置すべき手摺の接続角度が調整可能とされていることを特徴とする手摺取付具。
【請求項２】
互いに対向した状態で合体させることにより支柱をしっかりと挟持する挟持部を形成する挟持片を備えた半割状の挟持体が、手摺保持部を有する手摺保持体に形成された側面形状が略円盤状の取付部をその両側から挟むようにして、前記挟持片の中心から偏心して位置するように前記挟持体に形成された円形状の凸部が前記取付部の略円盤状の側面に形成された円形状の溝内を案内されつつ回転運動するように回転中心をボルトにより取着され、それによって設置すべき手摺の接続角度が調整可能とされていることを特徴とする手摺取付具。
【請求項３】
互いに対向した状態で合体させることにより支柱をしっかりと挟持する挟持部を形成する挟持片を備えた半割状の挟持体が、手摺保持部を有する手摺保持体に形成された側面形状が略円盤状の取付部をその両側から挟むようにして、その中心が前記挟持片の一方側の開口頂面と同じ高さに位置するように前記挟持体に形成された円形状の凸部が前記取付部の略円盤状の側面に形成された円形状の溝内を案内されつつ回転運動するように回転中心をボルトにより取着され、それによって設置すべき手摺の接続角度が調整可能とされていることを特徴とする手摺取付具。
【請求項４】
請求の範囲第１項〜第３項のいずれか１項に記載の手摺取付具において、
前記挟持体は、前記手摺保持体に対して左右のいずれの方向からも取着可能に形成されていることを特徴とする手摺取付具。
【請求項５】
請求の範囲第１項〜第４項のいずれか１項に記載の手摺取付具において、
前記挟持片の先端側の端面部には蟻形状の凹凸が形成され、合体時に互いに嵌合するようにして前記挟持部が形成されることを特徴とする手摺取付具。
【請求項６】
互いに対向した状態で合体させることにより支柱をしっかりと挟持する挟持部を形成する挟持片を備えた半割状の挟持体が、手摺保持部を有する手摺保持体に形成された側面形状が略円盤状の取付部をその両側から挟むようにして、前記挟持片の中心から偏心して位置するように前記挟持体に形成された円形状の凸部が前記取付部の略円盤状の側面に形成された円形状の溝内を案内されつつ回転運動するように回転中心をボルトにより取着されて形成された第一の手摺取付具及び第二の手摺取付具のうち、前記第一の手摺取付具を前記支柱の所定位置に取着すると共に、前記手摺保持体を可動させて該手摺保持体に取着された手摺の取り付け方向を調整する工程と、
前記第一の手摺取付具の手摺保持体に取着された手摺の取り付け方向の延長線上に前記第二の手摺取付具の手摺保持体に取着された手摺が位置するように前記第二の手摺取付具の前記手摺保持体を可動させて取着する工程と、
を含み構成される手摺取付方法。
【請求項７】
請求の範囲第６項に記載の手摺取付方法において、
前記第一の手摺取付具及び第二の手摺取付具の前記挟持体が、前記手摺保持体に、前記挟持片の一方側の開口頂面と同じ高さ位置で可動可能に取着されていることを特徴とする手摺取付方法。
【手続補正２】
【補正対象書類名】明細書
【補正対象項目名】０００２
【補正方法】変更
【補正の内容】
【０００２】
斜角度は設置すべき場所により一定ではないので予め準備することは困難である。一方、予め測量を行うことにより設置場所の形状に合わせた所定の傾斜角を備えた割り型継手を準備することが考えられるが割り型継手の準備作業が極めて煩雑であり、コスト的にも高くなるの欠点がある。
また、第９図に示すように、かかる従来の割り型継手１００を用いて縦材１０１である支柱の両方向にその高さの途中位置に手摺を設置する場合には、手摺である横材１０１’と横材１０１’’とが同一線上に位置せず、手摺である横材１０１’と横材１０１’’がソケット部１０２の幅だけ段差を有して掛け渡されることとなり見た目にも好ましくない。
本発明は上記の問題点に鑑みてなされたもので、支柱の途中部分に手摺を掛け渡すようにして支柱と支柱の間に取り付けるような場合に手摺の取り付け角度が自由に調整可能な手摺取付具及び手摺取付方法を提供することを目的とする。
また、本発明は、支柱の途中部分に手摺を掛け渡すようにして支柱と支柱の間に取り付けるような場合に手摺が同一直線上に又は取付位置の段差を生じさせずに連続して設置することが可能な手摺取付具及び手摺取付方法を提供することを目的とする。
発明の開示
上記課題を解決するために請求の範囲第１項に記載の発明は、互いに対向した状態で合体させることにより支柱をしっかりと挟持する挟持部を形成する挟持片を備えた半割状の挟持体が、手摺保持部を有する手摺保持体に形成された側面形状が略円盤状の取付部をその両側から挟むようにして、挟持体に形成された円形状の凸部が取付部の略円盤状の側面に形成された円形状の溝内を案内されつつ回転運動するように回転中心をボルトにより取着され、それによって設置すべき手摺の接続角度が調整可能とされていることを特徴とする手摺取付具を提供する。
上記課題を解決するために請求の範囲第２項に記載の発明は、互いに対向した状態で合体させることにより支柱をしっかりと挟持する挟持部を形成する挟持片を備えた半割状の挟持体が、手摺保持部を有する手摺保持体に形成された側面形状が略円盤状の取付部をその両側から挟むようにして、挟持片の中心から偏心して位置するように挟持体に形成された円形状の凸部が取付部の略円盤状の側面に形成された円形状の溝内を案内されつつ回転運動するように回転中心をボルトにより取着され、それによって設置すべき手摺の接続角度が調整可能とされていることを特徴とする手摺取付具を提供する。
上記課題を解決するために請求の範囲第３項に記載の発明は、互いに対向した状態で合体させることにより支柱をしっかりと挟持する挟持部を形成する挟持片を備えた


【手続補正３】
【補正対象書類名】明細書
【補正対象項目名】０００３
【補正方法】変更
【補正の内容】
【０００３】
半割状の挟持体が、手摺保持部を有する手摺保持体に形成された側面形状が略円盤状の取付部をその両側から挟むようにして、その中心が挟持片の一方側の開口頂面と同じ高さに位置するように挟持体に形成された円形状の凸部が取付部の略円盤状の側面に形成された円形状の溝内を案内されつつ回転運動するように回転中心をボルトにより取着され、それによって設置すべき手摺の接続角度が調整可能とされていることを特徴とする。
上記課題を解決するために請求の範囲第４項に記載の発明は、請求の範囲第１項〜第３項のいずれか１項に記載の手摺取付具において、挟持体は、手摺保持体に対して左右のいずれの方向からも取着可能に形成されていることを特徴とする。
上記課題を解決するために請求の範囲第５項に記載の発明は、請求範囲第１項〜第４項のいずれか１項に記載の手摺取付具において、挟持片の先端側の端面部には蟻形状の凹凸が形成され、合体時に互いに嵌合するようにして前記挟持部が形成されることを特徴とする。
上記課題を解決するために請求の範囲第６項に記載の発明は、互いに対向した状態で合体させることにより支柱をしっかりと挟持する挟持部を形成する挟持片を備えた半割状の挟持体が、手摺保持部を有する手摺保持体に形成された側面形状が略円盤状の取付部をその両側から挟むようにして、挟持片の中心から偏心して位置するように挟持体に形成された円形状の凸部が取付部の略円盤状の側面に形成された円形状の溝内を案内されつつ回転運動するように回転中心をボルトにより取着されて形成された第一の手摺取付具及び第二の手摺取付具のうち、前記第一の手摺取付具を前記支柱の所定位置に取着すると共に、前記手摺保持体を可動させて該手摺保持体に取着された手摺の取り付け方向を調整する工程と、前記第一の手摺取付具の手摺保持体に取着された手摺の取り付け方向の延長線上に前記第二の手摺取付具の手摺保持体に取着された手摺が位置するように前記第二の手摺取付具の前記手摺保持体を可動させて取着する工程とを含み構成される手摺取付方法を提供する。
上記課題を解決するために請求の範囲第７項に記載の発明は、請求の範囲第６項に記載の手摺取付方法において、第一の手摺取付具及び第二の手摺取付具の挟持体が、手摺保持体に、挟持片の一方側の開口頂面と同じ高さ位置で可動可能に取着されていることを特徴とする。
図面の簡単な説明
第１図は、本発明に係る手摺取付具の一実施形態の斜視図である。
第２図（ａ）は第１図に示した手摺取付具の平面図、（ｂ）はその側面図である。
第３図（ａ）は手摺保持体の平面図、（ｂ）はその側面図である。
第４図は、挟持体の平面図である。




【国際調査報告】
2003035996.tif 000012
2003035996.tif 000013
2003035996.tif 000014
2003035996.tif 000015